(57)【要約】【課題】  乗場を戸開して行う保守作業時において、乗場に仮設した障壁を正常状態に容易に保持できるエレベーター乗場の仮設障壁体装置を得る。【解決手段】  仮設金具１２、連結棒１５及び連結金具１６の三者を組立てて、出入口７幅内に配置し両端の仮設金具１２を全開した引き戸８に接して配置し、連結棒１５を保持具１７によって連結金具１６に保持する。そして、仮設金具１２の嵌入部１３を敷居６の敷居溝５に嵌入し、障壁体の脚部１１を仮設金具１２の嵌合孔１４に嵌合する。  このように障壁体を乗場１に仮設することにより、強風が当たったり、乗場１の通行人が接触したりすることによって障壁体が移動したり、倒れたりして障壁としての所期の作用を喪失する不具合の発生を未然に防止する。【選択図】        図２
2006076682.tif 000002
【特許請求の範囲】
【請求項１】
エレベーターの乗場の床面に設けられて、上記乗場の出入口を開閉する引き戸の下端が係合される敷居溝を有する敷居、複数枚がそれぞれの幅方向縁部を互いに隣接して並列に配置され鉛直軸線を介して相互に枢着されたパネルによって形成されて上記乗場に要時に仮設される障壁体と、この障壁体の幅方向における両縁部にそれぞれ設けられて下方に突出した脚部と、下部に上記敷居溝に嵌入する嵌入部が設けられて上部に上記障壁体の脚部が嵌合される嵌合孔が設けられ、要時に上記出入口の幅方向縁部にそれぞれ配置される仮設金具と、これらの仮設金具それぞれの一側の側面に一端が連結されて水平方向に突出して配置された連結棒と、これら連結棒それぞれの他端側が上記連結棒の長手方向に摺動自在に係合された連結金具と、この連結金具に上記連結棒に対応してそれぞれ設けられて対応した上記連結棒を上記連結金具に変位自在に係止し、上記仮設金具を上記出入口の幅に対応した所定位置に上記連結棒を介して保持する保持具とを備えたエレベーター乗場の仮設障壁体装置。
【発明の詳細な説明】
【技術分野】
【０００１】
この発明は、保守作業時に乗場出入口に仮設されるエレベーター乗場の仮設障壁体装置に関する。
【背景技術】
【０００２】
エレベーター乗場の仮設障壁体装置は、エレベーターの保守作業時に乗場近くを通行する人等が乗場出入口に近付かないにように乗場に仮設される。そして、従来のエレベーター乗場の仮設障壁体装置は、支持部材と、これに嵌入される対の側方下柵と、この上に嵌入して組み込まれる対の側方中柵と、この上に嵌入して組み込まれる正面手前側上柵と、側方下柵の上に嵌入して組み込まれる正面奥側上柵とによって安全柵が構成される。このように形成された安全柵が乗場に設置されて、エレベーターの乗かごや乗場ドアの存在に影響されずに簡単かつ迅速に設置、撤去できるように構成されている。（例えば、特許文献１参照）。
【０００３】
【特許文献１】特開平１０−８７２４７号公報（要約、図１〜図３）
【発明の開示】
【発明が解決しようとする課題】
【０００４】
従来のエレベーター乗場の仮設障壁体装置では、安全柵が乗場に載置状態に仮設されるので、強風が当たったり、乗場の通行人が接触したりすることによって安全柵が移動したり、倒れたりして障壁としての所期の作用が得られなくなるという問題点があった。
【０００５】
この発明は、かかる問題点を解消するためになされたものであり、乗場を戸開して行う保守作業時において乗場に仮設された障壁を容易に正常状態に保持できるエレベーター乗場の仮設障壁体装置を得ることを目的とする。
【課題を解決するための手段】
【０００６】
この発明に係るエレベーター乗場の仮設障壁体装置においては、エレベーターの乗場の床面に設けられて、乗場の出入口を開閉する引き戸の下端が係合される敷居溝を有する敷居、複数枚がそれぞれの幅方向縁部を互いに隣接して並列に配置され鉛直軸線を介して相互に枢着されたパネルによって形成されて乗場に要時に仮設される障壁体と、この障壁体の幅方向における両縁部にそれぞれ設けられて下方に突出した脚部と、下部に敷居溝に嵌入する嵌入部が設けられて上部に障壁体の脚部が嵌合される嵌合孔が設けられ、要時に出入口の幅方向縁部にそれぞれ配置される仮設金具と、これらの仮設金具それぞれの一側の側面に一端が連結されて水平方向に突出して配置された連結棒と、これら連結棒それぞれの他端側が連結棒の長手方向に摺動自在に係合された連結金具と、この連結金具に連結棒に対応してそれぞれ設けられて対応した連結棒を連結金具に変位自在に係止し、仮設金具を出入口の幅に対応した所定位置に連結棒を介して保持する保持具とが設けられる。
【発明の効果】
【０００７】
この発明によるエレベーター乗場の仮設障壁体装置は、仮設金具、連結棒及び連結金具の三者が組立てられて、これらの中間位置に配置された連結金具の両側に連結棒がそれぞれ係合され、連結棒の反連結金具側に仮設金具が配置される。そして、上記三者が出入口幅内に配置されて両端の仮設金具が全開した引き戸に接して配置され、また仮設金具の嵌入部が敷居の敷居溝に嵌入される。次いで、連結棒を介して両端の仮設金具の相互間隔を広げ、全開した引き戸の端面に仮設金具が押しつけられる。
【０００８】
この状態で、保持具によって連結棒を押圧して連結棒が連結金具に対する所定位置に配置される。そして、障壁体の幅方向における両側の縁部に設けられた脚部が、それぞれ対応した仮設金具の嵌合孔に嵌合される。これによって、障壁体が乗場の床面に仮設されるため、この状態では障壁体の脚部が仮設金具の嵌合孔に嵌合されて保持される。このようにして、簡易な操作によって障壁体を正常、かつ安定した状態で乗場に仮設することができる。したがって、強風が当たったり、乗場の通行人が接触したりすることによって障壁体が移動したり、倒れたりして障壁としての所期の作用が得られなくなる不具合の発生を未然に防止する効果がある。
【発明を実施するための最良の形態】
【０００９】
実施の形態１．
図１〜図３は、この発明の実施の形態を示す図で、図１はエレベーター乗場に障壁体が準備された状態を示す透視図、図２は図１の障壁体がエレベーター乗場に仮設された状態を示す図であって仮設金具箇所における出入口の縦断側面図、図３は図２の仮設金具、連結棒、連結金具の組立状態を示す斜視図である。図において、エレベーターの乗場１に三方枠２が設けられ、また床面３の昇降路４寄りの縁部に敷居溝５を有する敷居６が設けられて出入口７が形成される。
【００１０】
そして、互いに反対方向に動作して出入口７を開閉する二枚戸中心開き式の引き戸８が設けられ、図示が省略してあるが戸の脚、すなわち引き戸８の下端が敷居溝５に摺動自在に嵌合されて開閉動作時において引き戸８の下端が案内される。また、障壁体９が複数枚のパネル１０によって構成されて、パネル１０はそれぞれの幅方向縁部を互いに隣接して並列に配置されて鉛直軸線を介して相互に枢着される。また、障壁体９のパネル１０それぞれの幅方向の縁部には下方に突出した脚部１１が設けられる。
【００１１】
そして、要時に出入口７の幅方向の両縁部にそれぞれ配置される仮設金具１２が次に述べるように構成される。すなわち、下部に敷居６の敷居溝５に嵌入される嵌入部１３が設けられる。また、上部に上方に開口した嵌合孔１４が設けられて、要時に障壁体９の幅方向における縁部に設けられた脚部１１が嵌合される。また、仮設金具１２それぞれの一側の側面に連結棒１５の一端が連結され水平に配置されて出入口７幅の中心方向に突設される。
【００１２】
また、筒体からなる連結金具１６が配置されて長手両端の開口部にそれぞれ連結棒１５の突出端側が摺動自在に嵌合される。そして、蝶ボルトからなる保持具１７が連結金具１６の長手端部寄りにそれぞれ配置されて、連結金具１６にねじ込まれて対向した連結棒１５を押圧して、連結棒１５を連結金具１６に変位自在に係止し、仮設金具１２を出入口７の幅に対応した所定位置に連結棒１５を介して保持する。
【００１３】
上記のように構成されたエレベーター乗場の仮設障壁体装置において、引き戸８を開いて出入口７を開放した状態で保守作業を行う場合に、次に述べるようにして障壁体９が乗場１の床面３に仮設される。すなわち、仮設金具１２、連結棒１５及び連結金具１６の三者が図３に示すように組立てられ、図３の状態で両端の仮設金具１２が出入口７幅内に配置される。そして、仮設金具１２の嵌入部１３が敷居６の敷居溝５に嵌入される。
【００１４】
次いで、連結棒１５を介して両端の仮設金具１２の相互間隔を広げ、全開した引き戸８の戸当たり側の端面に仮設金具１２が押しつけられる。この状態で、保持具１７をねじ込んで連結棒１５を押圧し、連結棒１５が連結金具１６に対する所定位置に保持される。そして、障壁体９の幅方向における両側の縁部に設けられた脚部１１が、それぞれ対応した仮設金具１２の嵌合孔１４に嵌合される。
【００１５】
これによって、障壁体９が図１に示す姿勢に準じた状態によって障壁体９が乗場１の床面３に立設されて仮設される。そして、この状態では障壁体９の脚部１１がそれぞれ対応した仮設金具１２の嵌合孔１４に嵌合されて保持されているので、簡易な操作によって障壁体９を正常状態であって、かつ安定した状態に乗場１に仮設することができる。
【００１６】
このため、強風が当たったり、乗場の通行人が接触したりすることによって障壁体９が移動したり、倒れたりして障壁としての所期の作用が得られなくなる不具合の発生を未然に防止することができる。また、上記三者が組立てられた状態で全開した引き戸８に接して出入口７幅内に配置される。
【００１７】
これによって、引き戸８の戸閉動作を阻止するドアストッパーの機能を得ることができる。また、上記三者が組立てられて連結棒１５を介して両端の仮設金具１２の相互間隔を伸縮することができるので、幅寸法の相違する出入口７に容易に対応することができる。このため、保守作業のために準備する上記三者の種類を少なくすることができ費用を節減することができる。
【００１８】
また、図１〜図３の実施の形態における仮設金具１２を、全開した引き戸８の戸当たり側の端面及び三方枠２の側枠に接するように構成することもできる。この構成においても図１〜図３の実施の形態における作用を得ることができる。そして、この構成においては上記三者をより強固に出入口７の縁部に装着することができる。
【図面の簡単な説明】
【００１９】
【図１】この発明の実施の形態１を示す図で、エレベーター乗場に障壁体が準備された状態を示す透視図。
【図２】図１の障壁体がエレベーター乗場に仮設された状態を示す図であって仮設金具箇所における出入口の縦断側面図。
【図３】図２の仮設金具、連結棒、連結金具の組立状態を示す斜視図。
【符号の説明】
【００２０】
１  乗場、３  床面、５  敷居溝、６  敷居、７  出入口、８  引き戸、９  障壁体、１０  パネル、１１  脚部、１２  仮設金具、１３  嵌入部、１４  嵌合孔、１５  連結棒、１６  連結金具、１７  保持具。
【図１】
2006076682.tif 000003
【図２】
2006076682.tif 000004
【図３】
2006076682.tif 000005